【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
複数の接続を通してコンテンツパスを制御するための方法において、
コンテンツパスとして使用するために、宛先への第１の接続を確立することと、
代替接続を確立するために、前記宛先から能力情報を受信することと、
前記受信した能力情報に基づいて、前記代替接続として前記宛先へのバックグラウンド接続を確立することと、
前記バックグラウンド接続の性能を特徴付け、前記第１の接続の性能と比較することによって、前記コンテンツパスとして使用するのに前記バックグラウンド接続が前記第１の接続より好ましいか否かを評価することと、
前記バックグラウンド接続が好ましいときは、前記コンテンツパスを前記バックグラウンド接続にスイッチすることとを含み、
前記能力情報は能力テーブルを含み、前記能力テーブルは、前記宛先に関係付けられている異なるサービスの間でユーザコンタクト情報を関係付け、前記代替接続に対するサービスを選択するためのルールを含む方法。
【請求項２】
前記コンテンツパスを前記バックグラウンド接続にスイッチした後に、前記第１の接続を終了することをさらに含む請求項１記載の方法。
【請求項３】
前記第１の接続は、第１のエアインターフェースまたはワイヤードインターフェースをさらに含み、さらに、前記バックグラウンド接続は、第２のエアインターフェースまたは第２のワイヤードインターフェースをさらに含む請求項１記載の方法。
【請求項４】
エアインターフェースは、ワイヤレスワイドエリアネットワークおよび／またはワイヤレスローカルエリアネットワークを含む請求項３記載の方法。
【請求項５】
前記第１の接続は第１の通話モードを利用し、前記バックグラウンド接続は第２の通話モードを利用する請求項１記載の方法。
【請求項６】
前記コンテンツパスをスイッチすることは、コンテンツを提供するためのアプリケーションおよび／またはサービスをスイッチすることをさらに含む請求項１記載の方法。
【請求項７】
前記コンテンツパスは、音声データ、ビデオデータ、画像データ、テキストデータ、オーディオデータ、動画データ、または、これらの任意の組み合わせ、のうちの少なくとも１つを含む通話トラフィックを交換する請求項１記載の方法。
【請求項８】
前記第１の接続を通して交換される前記通話トラフィックと、前記バックグラウンド接続を通して交換される前記通話トラフィックは、同一のコンテンツを表す請求項７記載の方法。
【請求項９】
前記第１の接続を通して交換される前記通話トラフィックと、前記バックグラウンド接続を通して交換される前記通話トラフィックは、実質的に同一の時間に交換される請求項８記載の方法。
【請求項１０】
前記能力テーブルは、コンタクトのセルラ電話番号を前記コンタクトのＶｏＩＰユーザ識別に関係付ける請求項１記載の方法。
【請求項１１】
前記能力テーブルは、前記宛先における移動体端末上で遠隔に記憶されている請求項１記載の方法。
【請求項１２】
前記コンテンツパスとして使用するのに前記バックグラウンド接続が前記第１の接続より好ましいか否かを評価することは、
予め定められたしきい値を前記バックグラウンド接続の性能が満たすことを決定することをさらに含む請求項１記載の方法。
【請求項１３】
前記予め定められたしきい値は、前記能力テーブル中に記憶されている請求項１２記載の方法。
【請求項１４】
複数の接続を通してコンテンツパスを制御する移動体端末において、
少なくとも１つのトランシーバと、
前記少なくとも１つのトランシーバに結合されているモデムと、
前記モデムに結合されているメモリとを具備し、
前記メモリは、前記モデムに、
コンテンツパスとして使用させるために、宛先への第１の接続を確立させ、
代替接続を確立させるために、前記宛先から能力情報を受信させ、
前記受信させた能力情報に基づいて、前記代替接続として前記宛先へのバックグラウンド接続を確立させ、
前記バックグラウンド接続の性能を特徴付け、前記第１の接続の性能と比較させることによって、前記コンテンツパスとして使用するのに前記バックグラウンド接続が前記第１の接続より好ましいか否かを評価させ、
前記バックグラウンド接続が好ましいときは、前記コンテンツパスを前記バックグラウンド接続にスイッチさせるための実行可能な命令およびデータを記憶し、
前記能力情報は能力テーブルを含み、前記能力テーブルは、前記宛先に関係付けられている異なるサービスの間でユーザコンタクト情報を関係付け、前記代替接続に対するサービスを選択するためのルールを含む移動体端末。
【請求項１５】
前記命令はさらに、前記モデムに、前記コンテンツパスを前記バックグラウンド接続にスイッチさせた後に、前記第１の接続を終了させる請求項１４記載の移動体端末。
【請求項１６】
前記第１の接続は、第１のエアインターフェースまたはワイヤードインターフェースをさらに含み、さらに、前記バックグラウンド接続は、第２のエアインターフェースまたは第２のワイヤードインターフェースをさらに含む請求項１４記載の移動体端末。
【請求項１７】
エアインターフェースは、ワイヤレスワイドエリアネットワークおよび／またはワイヤレスローカルエリアネットワークを含む請求項１６記載の移動体端末。
【請求項１８】
前記第１の接続は第１の通話モードを利用し、前記バックグラウンド接続は第２の通話モードを利用する請求項１４記載の移動体端末。
【請求項１９】
前記命令はさらに、前記モデムに、コンテンツを提供するためのアプリケーションおよび／またはサービスをスイッチさせる請求項１４記載の移動体端末。
【請求項２０】
前記コンテンツパスは、音声データ、ビデオデータ、画像データ、テキストデータ、オーディオデータ、動画データ、または、これらの任意の組み合わせ、のうちの少なくとも１つを含む通話トラフィックを交換する請求項１４記載の移動体端末。
【請求項２１】
前記第１の接続を通して交換される前記通話トラフィックと、前記バックグラウンド接続を通して交換される前記通話トラフィックは、同一のコンテンツを表す請求項２０記載の移動体端末。
【請求項２２】
前記第１の接続を通して交換される前記通話トラフィックと、前記バックグラウンド接続を通して交換される前記通話トラフィックは、実質的に同一の時間に交換される請求項２１記載の移動体端末。
【請求項２３】
前記能力テーブルは、コンタクトのセルラ電話番号を前記コンタクトのＶｏＩＰユーザ識別に関係付ける請求項１４記載の移動体端末。
【請求項２４】
前記能力テーブルは、前記宛先における移動体端末上で遠隔に記憶されている請求項１４記載の移動体端末。
【請求項２５】
前記コンテンツパスとして使用するのに前記バックグラウンド接続が前記第１の接続より好ましいか否かを評価するための命令は、前記モデムに、
予め定められたしきい値を前記バックグラウンド接続の性能が満たすことを決定させる命令を含む請求項１４記載の移動体端末。
【請求項２６】
前記予め定められたしきい値は、前記能力テーブル中に記憶されている請求項２５記載の移動体端末。
【請求項２７】
複数の接続を通してコンテンツパスを制御する装置において、
コンテンツパスとして使用するために、宛先への第１の接続を確立する手段と、
代替接続を確立するために、前記宛先から能力情報を受信する手段と、
前記受信した能力情報に基づいて、前記代替接続として前記宛先へのバックグラウンド接続を確立する手段と、
前記バックグラウンド接続の性能を特徴付け、前記第１の接続の性能と比較することによって、前記コンテンツパスとして使用するのに前記バックグラウンド接続が前記第１の接続より好ましいか否かを評価する手段と、
前記バックグラウンド接続が好ましいときは、前記コンテンツパスを前記バックグラウンド接続にスイッチする手段とを具備し、
前記能力情報は能力テーブルを含み、前記能力テーブルは、前記宛先に関係付けられている異なるサービスの間でユーザコンタクト情報を関係付け、前記代替接続に対するサービスを選択するためのルールを含む装置。
【請求項２８】
前記コンテンツパスを前記バックグラウンド接続にスイッチした後に、前記第１の接続を終了する手段をさらに具備する請求項２７記載の装置。
【請求項２９】
モデムに動作を実行させるように構成されているモデム実行可能な命令をその上に記憶しているコンピュータ読取可能記憶媒体において、
前記動作は、
コンテンツパスとして使用するために、宛先への第１の接続を確立することと、
代替接続を確立するために、前記宛先から能力情報を受信することと、
前記受信した能力情報に基づいて、前記代替接続として前記宛先へのバックグラウンド接続を確立することと、
前記バックグラウンド接続の性能を特徴付け、前記第１の接続の性能と比較することによって、前記コンテンツパスとして使用するのに前記バックグラウンド接続が前記第１の接続より好ましいか否かを評価することと、
前記バックグラウンド接続が好ましいときは、前記コンテンツパスを前記バックグラウンド接続にスイッチすることとを含み、
前記能力情報は能力テーブルを含み、前記能力テーブルは、前記宛先に関係付けられている異なるサービスの間でユーザコンタクト情報を関係付け、前記代替接続に対するサービスを選択するためのルールを含むコンピュータ読取可能記憶媒体。